(57)【特許請求の範囲】
【請求項１】
入浴車に積載されて運搬され、使用時に、略長方形状の枠体と、該枠体内に位置し、入浴者を乗せて入浴させるための担架シートとを備えた入浴用担架が載置された状態で用いられる介護用浴槽であって、
底部と該底部から立設された側壁部とで形成される空間に湯を貯めるように構成された平面視略長方形状の浴槽本体と、該浴槽本体の前記側壁部上端部から前記浴槽本体の外側に延出するリム部とを有し、
前記リム部は、前記浴槽本体の長手方向の両方の前記側壁部上端部から前記浴槽本体の外側に延出する第１のリム部を有し、
前記入浴用担架の略長方形状の枠体は、左右両側の長辺部と、該左右両側の長辺部間を連結する入浴者の頭部側の短辺部と、入浴者の脚部側の短辺部とを有し、
前記リム部の前記第１のリム部には、前記入浴用担架の前記左右両側の長辺部を収容するように構成された段差部が形成されており、
前記入浴用担架の前記左右両側の長辺部が前記第１のリム部の前記段差部に収容されることにより、介護用浴槽に対する前記入浴用担架の移動が防止された状態で該入浴用担架が載置されることを特徴とする介護用浴槽。
【請求項２】
前記入浴用担架の前記枠体は、左右両側の各前記長辺部の入浴者の頭部側の端部が、前記左右両側の長辺部と連結する入浴者の頭部側の短辺部から突出している請求項１に記載の介護用浴槽。
【請求項３】
前記段差部は、前記第１のリム部の内側が略Ｌ字状に切り欠かれて形成されたものである請求項２に記載の介護用浴槽。
【請求項４】
前記リム部は、さらに、前記浴槽本体の入浴者の頭部側の前記側壁部上端部から前記浴槽本体の外側に延出する第２のリム部と、前記浴槽本体の入浴者の脚部側の前記側壁部上端部から前記浴槽本体の外側に延出する第３のリム部とを有するとともに、前記リム部には、前記第２のリム部と該第２のリム部と隣接する前記第１のリム部との間の一部が切り欠かれて切欠き部が形成されており、
前記入浴用担架が介護用浴槽に載置される際に、前記入浴用担架の左右両側の長辺部が、前記左右両側の各長辺部の入浴者の頭部側の端部が前記切欠き部から前記浴槽本体の外側に延出した状態で、それぞれ前記第１のリム部に形成された段差部に収容されるとともに、前記入浴用担架の入浴者の頭部側の短辺部が、前記第２のリム部の内側に位置し、前記入浴用担架の入浴者の脚部側の短辺部が、前記第３のリム部の内側に位置する請求項３に記載の介護用浴槽。
【請求項５】
前記入浴用担架が載置された状態で、前記リム部の上面が前記入浴用担架の枠体を構成する４つの辺部の上面とほぼ同じ高さになるように構成された請求項４に記載の介護用浴槽。
【請求項６】
前記浴槽本体は、長手方向の略中央部で第１半割槽と第２半割槽とに分割可能である請求項５に記載の介護用浴槽。
【請求項７】
略長方形状の枠体と、該枠体内に位置し、入浴者を乗せて入浴させるための担架シートとを備えた入浴用担架が載置された状態で用いられる介護用浴槽であって、
底部と該底部から立設された側壁部とで形成される空間に湯を貯めるように構成された平面視略長方形状の浴槽本体と、該浴槽本体の前記側壁部上端部から前記浴槽本体の外側に延出するリム部とを有し、
前記リム部は、前記浴槽本体の長手方向の両方の前記側壁部上端部から前記浴槽本体の外側に延出する第１のリム部を有し、
前記入浴用担架の略長方形状の枠体は、左右両側の長辺部と、該左右両側の長辺部間を連結する入浴者の頭部側の短辺部と、入浴者の脚部側の短辺部とを有し、
前記リム部の前記第１のリム部には、前記入浴用担架の前記左右両側の長辺部を収容するように構成された段差部が形成されており、
前記入浴用担架の前記左右両側の長辺部が前記第１のリム部の前記段差部に収容されることにより、介護用浴槽に対する前記入浴用担架の移動が防止された状態で該入浴用担架が載置されることを特徴とする介護用浴槽。
【発明の詳細な説明】
【技術分野】
【０００１】
本発明は、介護が必要とされる人を入浴させるための介護用浴槽であって、より詳しくは、入浴者を乗せて入浴させるための入浴用担架が載置された状態で用いられる介護用浴槽に関する。
【背景技術】
【０００２】
訪問入浴サービスは、在宅の身障者や寝たきり老人などの要介護者に対する介護サービスの一環として行われている。このような訪問入浴サービスに従事する介護従事者は、介護用浴槽を自動車（入浴車）に積載して要介護者の住居に訪問し、入浴車から要介護者のいる住居内等に介護用浴槽を運搬する。そして、運搬した浴槽内に湯をはり、要介護者を乗せた状態の入浴用担架を浴槽上部に載置して、要介護者を入浴させる。ここで、特許文献１を参照して、従来の介護用浴槽において、入浴用担架を浴槽上部に載置した状態を図１に示す。
【０００３】
図１に示すように、介護用浴槽１００は、内側に湯を貯める浴槽本体１０１と、浴槽本体１０１の側壁部上端から浴槽本体１０１の外側に延出し、その上面が平らに形成されたリム部１０２とを有している。入浴用担架２００は、左右両側の長辺部２０１、２０１と、左右両側の長辺部２０１、２０１を入浴者の頭部側および脚部側でそれぞれ連結する短辺部２０２、２０３とからなる略長方形状の枠体２１０と、枠体２１０内に位置し、入浴者を乗せて入浴させるための担架シート２２０とを有している。また、枠体２１０の一方の長辺部２０１端部には、ハンドル２０４が設けられており、このハンドル２０４の回転によって、担架シート２２０の左右両側縁を固定する固定用ベルト２２１、２２１の牽引または弛緩させることが可能な構造となっている。このような入浴用担架２００は、枠体２１０の左右両側の長辺部２０１、２０１および入浴者の脚部側の短辺部２０３が、それぞれ、介護用浴槽１００のリム部１０２上面に当接するようにして、介護用浴槽１００に載置される。そして、ハンドル２０４を回転させて、担架シート２２０の固定用ベルト２２１、２２１を弛緩させることにより、担架シート２２０が浴槽内に下降して担架シート２２０に乗った入浴者を浴槽内に入浴させることができる。
【０００４】
しかしながら、このような介護用浴槽１００では、入浴用担架２００の枠体２１０が平らに形成されたリム部１０２上面に単に載っているだけであるため、介護従事者が入浴者に対して洗髪等の入浴サービスを行う際に、入浴用担架２００は介護用浴槽１００に対して位置ずれを起こすことがあった。また、介護用浴槽１００のリム部１０２よりも高い位置に入浴用担架２００の枠体２１０が載置されるため、介護従事者は介護用浴槽１００（リム部１０２）よりも高い位置まで入浴者を持ち上げてから担架シート２２０に乗せなければならず、介護従事者の作業負担が大きかった。また、入浴者にとっても、担架シート２２０に運ばれる際に、枠体２１０に触れたり、乗ったりすると不快感があった。そのため、入浴用担架が介護用浴槽に対して位置ずれを起こすことなく、安定して載置できるとともに、介護従事者が入浴者を入浴させるのに作業負担が軽減される介護用浴槽が求められる。
【０００５】
また、訪問入浴サービスに用いられる介護用浴槽として、分割浴槽を用いる場合、以下のような問題あった。
【０００６】
すなわち、従来の訪問入浴サービス用の分割浴槽は、第１半割槽と第２半割槽とから構成され、各半割槽は、槽部と槽部と結合されたフランジ部とを有しているとともに、各半割槽の長手方向のほぼ中央部に分割浴槽を訪問先の床に対して支持するための脚部を有している。そして、各半割槽のフランジ部同士を当接して、これらをクランプ機構等で結合して用いられる。しかしながら、従来の分割浴槽では、各槽部はＦＲＰ材料で形成されたものであるが、フランジ部はアルミ等の金属板を用いたものであった。各半割槽の構成部材として金属材料を使用しているため、分割浴槽全体としての軽量化に限界があった。また、従来の分割浴槽では、各半割槽を結合した（組み立てた）状態において、各フランジ部が着床しないように構成されている。これは、各半割槽のフランジ部間のシーリング性を保つため、また、アルミ板等で形成されたフランジ部が訪問先の床を傷付けないようにするためである。しかしながら、このような分割浴槽は、各半割槽の長手方向のほぼ中央部に設けられた２つの脚部のみで床に対して支持されているため、組み立てられた状態の分割浴槽のフランジ部周辺の底部に荷重がかかると、浴槽自体が中央で撓み易いという問題があった。
【先行技術文献】
【特許文献】
【０００７】
【特許文献１】特許４５５８９７２号公報
【発明の概要】
【発明が解決しようとする課題】
【０００８】
本発明は、上記従来の問題点を鑑みたものであり、その目的は、載置される入浴用担架の位置ずれが防止され、介護従事者の作業負担が軽減される介護用浴槽を提供することにある。
【課題を解決するための手段】
【０００９】
このような目的は以下の特徴（１）〜（７）を有する本発明により達成される。
（１）  入浴車に積載されて運搬され、使用時に、略長方形状の枠体と、該枠体内に位置し、入浴者を乗せて入浴させるための担架シートとを備えた入浴用担架が載置された状態で用いられる介護用浴槽であって、
底部と該底部から立設された側壁部とで形成される空間に湯を貯めるように構成された平面視略長方形状の浴槽本体と、該浴槽本体の前記側壁部上端部から前記浴槽本体の外側に延出するリム部とを有し、
前記リム部は、前記浴槽本体の長手方向の両方の前記側壁部上端部から前記浴槽本体の外側に延出する第１のリム部を有し、
前記入浴用担架の略長方形状の枠体は、左右両側の長辺部と、該左右両側の長辺部間を連結する入浴者の頭部側の短辺部と、入浴者の脚部側の短辺部とを有し、
前記リム部の前記第１のリム部には、前記入浴用担架の前記左右両側の長辺部を収容するように構成された段差部が形成されており、
前記入浴用担架の前記左右両側の長辺部が前記第１のリム部の前記段差部に収容されることにより、介護用浴槽に対する前記入浴用担架の移動が防止された状態で該入浴用担架が載置されることを特徴とする介護用浴槽。
【００１０】
（２）  前記入浴用担架の前記枠体は、左右両側の各前記長辺部の入浴者の頭部側の端部が、前記左右両側の長辺部と連結する入浴者の頭部側の短辺部から突出している上記（１）に記載の介護用浴槽。
【００１１】
（３）  前記段差部は、前記第１のリム部の内側が略Ｌ字状に切り欠かれて形成されたものである上記（２）に記載の介護用浴槽。
【００１２】
（４）  前記リム部は、さらに、前記浴槽本体の入浴者の頭部側の前記側壁部上端部から前記浴槽本体の外側に延出する第２のリム部と、前記浴槽本体の入浴者の脚部側の前記側壁部上端部から前記浴槽本体の外側に延出する第３のリム部とを有するとともに、前記リム部には、前記第２のリム部と該第２のリム部と隣接する前記第１のリム部との間の一部が切り欠かれて切欠き部が形成されており、
前記入浴用担架が介護用浴槽に載置される際に、前記入浴用担架の左右両側の長辺部が、前記左右両側の各長辺部の入浴者の頭部側の端部が前記切欠き部から前記浴槽本体の外側に延出した状態で、それぞれ前記第１のリム部に形成された段差部に収容されるとともに、前記入浴用担架の入浴者の頭部側の短辺部が、前記第２のリム部の内側に位置し、前記入浴用担架の入浴者の脚部側の短辺部が、前記第３のリム部の内側に位置する上記（３）に記載の介護用浴槽。
【００１３】
（５）  前記入浴用担架が載置された状態で、前記リム部の上面が前記入浴用担架の枠体を構成する４つの辺部の上面とほぼ同じ高さになるように構成された上記（４）に記載の介護用浴槽。
【００１４】
（６）  前記浴槽本体は、長手方向の略中央部で第１半割槽と第２半割槽とに分割可能である上記（５）に記載の介護用浴槽。
【００１５】
（７）  略長方形状の枠体と、該枠体内に位置し、入浴者を乗せて入浴させるための担架シートとを備えた入浴用担架が載置された状態で用いられる介護用浴槽であって、
底部と該底部から立設された側壁部とで形成される空間に湯を貯めるように構成された平面視略長方形状の浴槽本体と、該浴槽本体の前記側壁部上端部から前記浴槽本体の外側に延出するリム部とを有し、
前記リム部は、前記浴槽本体の長手方向の両方の前記側壁部上端部から前記浴槽本体の外側に延出する第１のリム部を有し、
前記入浴用担架の略長方形状の枠体は、左右両側の長辺部と、該左右両側の長辺部間を連結する入浴者の頭部側の短辺部と、入浴者の脚部側の短辺部とを有し、
前記リム部の前記第１のリム部には、前記入浴用担架の前記左右両側の長辺部を収容するように構成された段差部が形成されており、
前記入浴用担架の前記左右両側の長辺部が前記第１のリム部の前記段差部に収容されることにより、介護用浴槽に対する前記入浴用担架の移動が防止された状態で該入浴用担架が載置されることを特徴とする介護用浴槽。
【００１６】
また、本発明は、以下の（８）〜（１１）の特徴を有する分割浴槽も対象とする。
（８）  第１半割槽と第２半割槽とに分割した状態で入浴車に搬入または該入浴車から搬出され、使用時に、前記第１半割槽と前記第２半割槽とを結合手段によって一体に結合してなる分割浴槽であって、
前記第１半割槽は、底部と該底部から立設された側壁部とから形成された第１の槽部と、該第１の槽部の左右両側の前記側壁部および前記底部と連なって前記第１の槽部と一体に形成された第１の脚部と、前記第１の槽部の左右両側の前記側壁部および前記底部の分割面側の端部に沿って形成された第１のフランジ部とを有し、
前記第２半割槽は、底部と該底部から立設された側壁部とから形成された第２の槽部と、該第２の槽部の左右両側の前記側壁部および前記底部と連なって前記第２の槽部と一体に形成された第２の脚部と、前記第２の槽部の左右両側の前記側壁部および前記底部の分割面側の端部に沿って形成された第２のフランジ部とを有し、
前記第１半割槽および前記第２半割槽を構成する各部材は、いずれもＦＲＰ材料で形成されたものであり、
使用時に、前記第１半割槽の第１のフランジ部と前記第２半割槽の第２のフランジ部とが当接した状態で、前記結合手段によって前記第１半割槽と前記第２半割槽とが一体に結合されるとともに、前記当接した状態の第１のフランジ部と第２のフランジ部とが分割浴槽を支持する第３の脚部をなすことを特徴とする分割浴槽。
【００１７】
（９）  前記第１の槽部および該第１の槽部と一体に形成された前記第１の脚部と、前記第２の槽部および該第２の槽部と一体に形成された前記第２の脚部とは、いずれも、少なくとも２層以上のＦＲＰ層を積層して形成されたものであり、
前記第１のフランジ部および前記第２のフランジ部は、いずれも、ＦＲＰ板で形成されたものであり、前記第１の槽部および前記第２の槽部を構成する各ＦＲＰ層の積層体の最上層と、該最上層の分割面側の端部で一体に成型される上記（８）に記載の分割浴槽。
【００１８】
（１０）  前記第１のフランジ部または前記第２のフランジ部のいずれかのフランジ部表面には、該フランジ部に連結する第１の槽部または第２の槽部の左右両側の前記側壁部および前記底部の分割面側の端部に沿って溝が形成され、該溝には、シールパッキング材が嵌入されており、
前記結合手段は、前記第１のフランジ部および前記第２のフランジ部の側面部左右上側に設けられた２つのクランプ機構と、前記第１のフランジ部および前記第２のフランジ部の側面部左右下側に設けられた２つのクランプ機構とから構成されており、
前記第１のフランジ部と前記第２のフランジ部とが、前記４つのクランプ機構によって結合される際に、前記第１のフランジ部と前記第２のフランジ部との間が前記シールパッキング材によってシーリングされる上記（９）に記載の分割浴槽。
【００１９】
（１１）  前記第１の槽部および前記第２の槽部は、いずれも、２層のＦＲＰ層を積層して形成されたものであり、
各ＦＰＲ層の積層体の上層を成形するための上層用成形型と下層を形成するための下層用成形型とが、上下から互いにほぼ嵌合するように構成されており、
各ＦＲＰ層の積層体の上層は、その上面側が前記上層用成形型に接した状態で形成され、各ＦＲＰ層の積層体の下層は、その下面側が前記下層用成形型に接した状態で形成されており、
前記上層用成形型と前記下層用成形型とを上下から押し合わせて、前記上層と前記下層とを積層することにより各ＦＲＰ層の積層体が形成される上記（１０）に記載の分割浴槽。
【図面の簡単な説明】
【００２０】
【図１】従来の介護用浴槽に入浴用担架が載置された状態を示す斜視図である。
【図２】本発明の介護用浴槽の好適な実施形態（第１実施形態）を示す斜視図である。
【図３】図２に示す介護用浴槽に入浴用担架（担架シートは図示せず）が載置された状態を示す斜視図である。
【図４】図３に示す介護用浴槽および入浴用担架を図３中右側面側から見た斜視図である。
【図５】図３に示す介護用浴槽および入浴用担架の入浴者の頭部側から見た斜視図である。
【図６】図３に示す介護用浴槽および入浴用担架の入浴者の脚部側から見た斜視図である。
【図７】図２に示す介護用浴槽を構成する第１半割槽をフランジ部側から見た斜視図である。
【図８】図２に示す介護用浴槽を構成する第２半割槽をフランジ部側から見た斜視図である。
【発明を実施するための形態】
【００２１】
以下、本発明の介護用浴槽を添付図面に示す好適な実施形態に基づいて説明する。
本発明の介護用浴槽は、その上部に入浴者を乗せて入浴させるための入浴用担架が載置された状態で、入浴者を入浴させるために用いられるものである。このような介護用浴槽は、入浴車に積載されて運搬され、要介護者の住居に訪問した際に、介護従事者によって入浴車から要介護者の住居等まで搬出されて使用される訪問入浴サービス用に用いられる。
【００２２】
図２は、本発明の介護用浴槽の好適な実施形態（第１実施形態）を示す斜視図、図３は、図２に示す介護用浴槽に入浴用担架が載置された状態を示す斜視図、図４は、図３に示す介護用浴槽および入浴用担架（担架シートは図示せず）を図３中右側面側から見た斜視図である。
【００２３】
介護用浴槽１は、２分割可能な構成となっており、図２中、左手前側に配置された入浴者の洗髪が行われる第１半割槽４と、右奥側に配置された入浴者の胴部と脚部とを入浴させる第２半割槽５とを有している。このような介護用浴槽１は、第１半割槽４と第２半割槽５とに分割した状態で入浴車に搬入または入浴車から搬出され、使用時に、図２および図４に示すように第１半割槽４と第２半割槽５とを結合手段（クランプ機構６）によって一体に結合されて（組み立てられて）用いられるものである。まず、各半割槽４、５の詳細な説明をする前に、組み立てられた状態の介護用浴槽１の説明をする。
【００２４】
図２に示すように、組み立てられた状態の介護用浴槽１は、底部２１と底部２１から立設された側壁部２２とで形成される空間に湯を貯めるように構成された平面視略長方形状の浴槽本体２と、浴槽本体２の側壁部２２上端部から浴槽本体２の外側に延出するリム部３とを有している。この介護用浴槽１は、図３に示すように、入浴者を乗せて入浴させるための入浴用担架１０が載置された状態で用いられる。
【００２５】
浴槽本体２は、図２中、左手前側の第１半割槽４部分の左右両側の側壁部２２および底部２１と連なって浴槽本体２と一体に形成された第１の脚部２３、および右奥側の第２半割槽５部分の左右両側の側壁部２２および底部２１と連なって浴槽本体２と一体に形成された第２の脚部２４を有している。さらに、浴槽本体２は、上記第１の脚部２３および第２の脚部２４に加え、第１半割槽４と第２半割槽５とが結合された部分の左右両側の側壁部２２および底部２１と連なって浴槽本体２と一体に形成された第３の脚部２５を有している。組み立てられた状態の介護用浴槽１は、これらの各脚部２３、２４、２５によって訪問先の床に支持される。
【００２６】
リム部３は、その一部に、入浴用担架１０の枠体１１の少なくとも一部を収容するように構成された段差部が形成されている。このリム部３に形成された段差部に入浴用担架１０の枠体１１が収容されて、入浴用担架１０が介護用浴槽１に載置される。以下、リム部３の段差部に収容される入浴用担架１０の具体的な構成を説明してから、リム部３の具体的な構成および入浴用担架１０が介護用浴槽１に載置された状態を説明する。
【００２７】
図３に示すように、入浴用担架１０は、略長方形状の枠体１１と、枠体１１内に位置し、入浴者を乗せて入浴させるための担架シート１２とを備えている。この入浴用担架１０の担架シート１２に入浴者を乗せる際には、図３中、左手前側に入浴者の頭部が乗せられ、右奥側に入浴者の胴部および脚部が乗せられる。
【００２８】
枠体１１は、左右両側の長辺部１１１、１１１と、左右両側の長辺部１１１、１１１を連結する入浴者の頭部側の短辺部１１２と入浴者の脚部側の短辺部１１３とを有している。各長辺部１１１、１１１は、入浴者の頭部側の端部が、各長辺部１１１、１１１と連結する入浴者の頭部側の短辺部１１２から突出している。また、各長辺部１１１、１１１には、それぞれ、両端部に取っ手１４が設けられている。さらに、各長辺部１１１、１１１には、ほぼ中央部に折り畳み部１１４、１１４が設けられており、この折り畳み部１１４、１１４において枠体１１がほぼ半分の長さになるように折り畳むことができるようになっている。そのため、未使用時には入浴用担架１０を折り畳んだ状態にしておくことにより、入浴車の省スペース化を図ることができる。
【００２９】
担架シート１２は、その左右両側縁を固定する固定用ロープ１３、１３によって枠体１１に支持されている。この固定用ロープ１３、１３は、図３中手前側の長辺部１１１の入浴者の頭部側の端部に設けられたハンドル１５と連動している。ハンドル１５の回転によって、固定用ロープ１３、１３の牽引または弛緩させることが可能であり、入浴用担架１０の担架シート１２に入浴者を乗せた状態で、ハンドル１５を回転させて、担架シート１２の固定用ロープ１３、１３を弛緩させることにより、担架シート１２が浴槽本体２内に下降して担架シート１２に乗った入浴者を浴槽本体２内に入浴させることができる。
【００３０】
次に、リム部３の具体的な構成および入浴用担架１０が介護用浴槽１に載置された状態について説明する。
【００３１】
リム部３は、図２に示すように、浴槽本体２の長手方向の両方の側壁部２２上端部から浴槽本体２の外側に延出する第１のリム部３１と、浴槽本体２の入浴者の頭部側の側壁部２２上端部から浴槽本体２の外側に延出する第２のリム部３２と、浴槽本体２の入浴者の脚部側の側壁部２２上端部から浴槽本体２の外側に延出する第３のリム部３３とを有している。
【００３２】
リム部３の第１のリム部３１は、その内側が略Ｌ字状に切り欠かれて形成された段差部３１１を有している。介護用浴槽１では、図３に示すように、使用時に、入浴用担架１０の左右両側の長辺部１１１、１１１が第１のリム部３１の段差部３１１に収容されて、入浴用担架１０が介護用浴槽１に載置される。このように、入浴用担架１０の枠体１１が第１のリム部３１の段差部３１１に収容されることにより、介護用浴槽１に対する入浴用担架１０の移動が防止される。すなわち、介護用浴槽１では、入浴用担架１０が介護用浴槽１に対して位置ずれすることなく、安定して載置される。そのため、介護従事者は、入浴用担架１０の位置ずれの心配をする必要なく、入浴者への入浴サービスに専念することができる。したがって、単に入浴用担架の枠体を浴槽の平らに形成されたリム部上面に載せただけの従来の介護用浴槽に比べて、本発明の介護用浴槽１は、介護従事者にとって負担を軽減させることができるものである。
【００３３】
また、リム部３は、第２のリム部３２と第２のリム部３２と隣接する第１のリム部３１との間の一部が切り欠かれて形成された切欠き部３４を有している。
【００３４】
次に、入浴用担架１０が介護用浴槽１に載置された際の入浴者の頭部側および脚部側の状態について説明する。
【００３５】
図５は、図３に示す介護用浴槽および入浴用担架の入浴者の頭部側から見た斜視図、図６は、図３に示す介護用浴槽および入浴用担架の入浴者の脚部側から見た斜視図である。
【００３６】
介護用浴槽１の入浴者の頭部側では、図５に示すように、入浴用担架１０の各長辺部１１１、１１１の入浴者の頭部側の端部が切欠き部３４から浴槽本体２の外側に延出する。そして、入浴用担架１０の入浴者の頭部側の短辺部１１２が、浴槽本体２の第２のリム部３２の内側に位置するとともに、当接するようになっている。
【００３７】
一方、介護用浴槽１の入浴者の脚部側では、図６に示すように、入浴用担架１０の各長辺部１１１、１１１の入浴者の脚部側の端部が浴槽本体２の第３のリム部３３に当接し、入浴用担架１０の入浴者の脚部側の短辺部１１３は、浴槽本体２の第３のリム部３３の内側に位置するようになっている。
【００３８】
このように、入浴用担架１０が介護用浴槽１に載置された状態では、入浴用担架１０の左右両側の長辺部１１１、１１１が第１のリム部３１の段差部３１１に収容されることによって、入浴用担架１０の浴槽本体２の短手方向への位置ずれを防止することができる。さらに、入浴用担架１０の両短辺部１１２、１１３が、それぞれ第２のリム部３２、第３のリム部３３の浴槽本体２内側に位置することによって、入浴用担架１０の浴槽本体２の長手方向への位置ずれも防止することができる。
【００３９】
なお、リム部３は、入浴用担架１０が介護用浴槽１に載置された状態で、その上面が入浴用担架１０の枠体１１を構成する各辺部（長辺部１１１、１１１および短辺部１１２、１１３）の上面とほぼ同じ高さとなるように構成されていることが好ましい。これにより、介護用浴槽１に安定的に入浴用担架１０を載置することができ、また、介護用浴槽１に載置された状態の入浴用担架１０が、リム部３から位置ずれするのが確実に防止される。また、枠体１１を構成する各辺部の上面とリム部３の上面との間に段差がないので、介護従事者が入浴者に対して入浴サービスを行い易いというメリットがある。
【００４０】
次に、介護用浴槽１を構成する各半割槽４、５の具体的な構成について説明する。
図７は、図２に示す介護用浴槽を構成する第１半割槽をフランジ部側から見た斜視図、図８は、図２に示す介護用浴槽を構成する第２半割槽をフランジ部側から見た斜視図である。
【００４１】
第１半割槽４は、全体が強化プラスチック（ＦＲＰ）材料で形成されており、図７に示すように、底部４１１と底部４１１から立設された側壁部４１２とから形成された第１の槽部４１と、第１の槽部４１と一体に形成された第１の脚部２３（図２に示す）と、第１の槽部４１の左右両側の側壁部４１２および底部４１１の分割面側の端部に沿って形成された第１のフランジ部４２とを有している。また、第１のフランジ部４２の側面部左右上下に、４つの止め具６１が設けられている。
【００４２】
また、第２半割槽５は、全体がＦＲＰ材料で形成されており、図８に示すように、底部５１１と底部５１１から立設された側壁部５１２とから形成された第２の槽部５１と、第２の槽部５１と一体に形成された第２の脚部２４（図２に示す）と、第２の槽部５１の左右両側の側壁部５１２および底部５１１の分割面側の端部に沿って形成された第２のフランジ部５２とを有している。また、第２のフランジ部５２の側面部左右上下に、第１半割槽４の４つの止め具６１に対応した４つのクランプ６２が設けられている。上述した第１半割槽４の４つの止め具６１と第２半割槽５の４つのクランプ６２とで４つのクランプ機構６を構成している。
【００４３】
第１半割槽４の第１のフランジ部４２表面には、連結する第２半割槽５の第２の槽部５１の左右両側の側壁部５１２および底部５１１の分割面側の端部に沿って溝４２１が形成されており、溝４２１には、図示しないシールパッキング材が嵌入されている。そして、第１のフランジ部４２と第２のフランジ部５２とが、当接された状態で４つのクランプ機構６によって結合される際に、第１のフランジ部４２と第２のフランジ部５２との間がシールパッキング材によってシーリングされる。
【００４４】
なお、従来の介護用の分割浴槽では、フランジ部にアルミ等の金属板を用いていたが、介護用浴槽１を構成する各半割槽４、５では、各フランジ部４２、５２の構成材料としてＦＲＰ材料を用いているため、軽量化されている。そのため、第１半割槽４と第２半割槽５とに分割した状態の介護用浴槽１の運搬をより楽に行うことができる。
【００４５】
また、介護用浴槽１では、第１半割槽４と第２半割槽５とがクランプ機構６によって結合した状態で、互いに当接された第１のフランジ部４２と第２のフランジ部５２とが、図２に示す第３の脚部２５をなしており、各半割槽４、５と一体に形成された第１の脚部２３および第２の脚部２４とともに、介護用浴槽１を床に対して支持している。介護用浴槽１では、各フランジ部４２、５２がＦＲＰ材料で形成されることから、アルミ板等に比べて適度な可撓性を有しており、そのため、各フランジ部４２、５２が着床した状態でも、フランジ部４２、５２間のシーリング性を十分に高いものとすることができる。介護用浴槽１では、第１の脚部２３、第２の脚部２４および第１の脚部２３と第２の脚部２４とのほぼ中央部に設けられた第３の脚部２５の３つの脚部で均等に床に対して支持されるため、浴槽本体２の底部２１のどの部位に荷重がかかっても、荷重分散されるので耐久性に優れたものとなる。
【００４６】
また、このような半割槽４、５は、それぞれ、各槽部４１、５１および各槽部４１、５１と一体に形成された各脚部２３、２４が少なくとも２層以上のＦＲＰ層を積層して形成されたものである。また、各半割槽４、５のフランジ部４２、５２は、それぞれ、ＦＲＰ板で形成されており、各槽部４１、５１を構成する各ＦＲＰ層の積層体の最上層と、その最上層の分割面側の端部で一体に成型されるものである。このように、各槽部４１、５１および各脚部２３、２４をＦＲＰ層の積層体で形成し、浴槽の耐久性を高めている。また、各半割槽４、５のフランジ部４２、５２が各ＦＲＰ層の積層体と接着剤で固着されるのではなく、各ＦＲＰ層の最上層と一体に成型される。各フランジ部４２、５２と各ＦＲＰ層の積層体との接合に接着剤を用いた場合、介護用浴槽を長期間使用し続けると、接着剤の経年劣化によって接合部分から水漏れする恐れがあるが、本件では、各ＦＲＰ層の積層体の一部とフランジ部４２、５２との間に接合部分がないため、上記のような問題は発生しない。そのため、介護用浴槽１を長期間にわたって使用し続けることができる。
【００４７】
各半割槽４、５の各槽部４１、５１および各脚部２３、２４を構成する各ＦＲＰ層は、成形型に樹脂成分およびガラス繊維を含むＦＲＰ材料を充填した後、樹脂成分を硬化させて形成する公知の方法を用いて形成することができる。この各槽部４１、５１および各脚部２３、２４を２層のＦＲＰ層を積層して形成する場合、以下のようにして形成するのが好ましい。
【００４８】
すなわち、上下から互いに嵌合するように構成されたＦＲＰ層の積層体の上層を形成するための上層用形成型と下層を形成するための下層用形成型とを準備する。そして、各ＦＲＰ層の積層体の上層は、その上面側が上層用成形型に接した状態で形成するとともに、各ＦＲＰ層の積層体の下層は、その下面側が下層用成形型に接した状態で形成する。その後、上層用成形型と下層用成形型とを上下から押し合わせて、上層と下層とを積層することにより各ＦＲＰ層の積層体を形成する。
【００４９】
成形型を用いてＦＲＰ層を形成する方法では、成形型に接する側の表面は、ざらつき感のない滑らかなものとなるが、成形型とは反対側に形成される側の表面は粗く、ざらついたものとなってしまう。成形型と反対側に形成される側の表面が浴槽の表面として露出していると、見た目にも美しくないし、入浴者が浴槽に触れた際にざらつき感から不快な思いをさせてしまう可能性がある。そのため、上記の形成方法では、２層のＦＲＰ層をなす各層の外表面側（上層の上面側および下層の下面側）が各成形型に接する側となるようにして形成することにより、形成された各槽部４１、５１および各脚部２３、２４の外表面が、ざらつき感のない滑らかなものとなる。
【００５０】
なお、本実施形態では、介護用浴槽１が、第１半割槽４と第２半割槽５とに分割可能な分割浴槽であるものについて説明したが、分割しない一体型のものであってもよい。なお、このように介護用浴槽として一体型のものを用いた場合には、入浴用担架１０を折り畳んだ状態で運搬する必要はない。例えば、図３に示すように介護用浴槽に入浴用担架１０を載置した状態で入浴車に搬入、または入浴車から搬出すればよい。
【００５１】
また、本実施形態では、訪問入浴サービス用に用いる介護用浴槽について説明したが、例えば、上述した構成の介護用浴槽１を、介護施設等に設置される設置型の介護用浴槽として用いることもできる。
【００５２】
また、本実施形態では、介護用浴槽１は、リム部３に入浴用担架１０の枠体１１を収容する段差部３１１を有しているが、本発明はこれに限定されず、介護用浴槽として分割浴槽を用いる場合には、このような入浴用担架１０の枠体１１を収容するための段差部３１１を設けないものであってもよい。
【符号の説明】
【００５３】
１…介護用浴槽  ２…浴槽本体  ２１…底部  ２２…側壁部  ２３…第１の脚部  ２４…第２の脚部  ２５…第３の脚部  ３…リム部  ３１…第１のリム部  ３１１…段差部  ３２…第２のリム部  ３３…第３のリム部  ３４…切欠き部  ４…第１半割槽  ４１…第１の槽部  ４１１…底部  ４１２…側壁部  ４２…第１のフランジ部  ４２１…溝  ５…第２半割槽  ５１…第２の槽部  ５１１…底部  ５１２…側壁部  ５２…第２のフランジ部  ６…クランプ機構  ６１…止め具  ６２…クランプ  １０…入浴用担架  １１…枠体  １１１…長辺部  １１２…短辺部  １１３…短辺部  １１４…折り畳み部  １２…担架シート  １３…固定用ロープ  １４…取っ手  １５…ハンドル  １００…介護用浴槽  １０１…浴槽本体  １０２…リム部  ２００…入浴用担架  ２０１…長辺部  ２０２…短辺部  ２０３…短辺部  ２０４…ハンドル  ２１０…枠体  ２２０…担架シート  ２２１…固定用ベルト
【図１】
0005822628.tif 000002
【図２】
0005822628.tif 000003
【図３】
0005822628.tif 000004
【図４】
0005822628.tif 000005
【図５】
0005822628.tif 000006
【図６】
0005822628.tif 000007
【図７】
0005822628.tif 000008
【図８】
0005822628.tif 000009